(57)【要約】【課題】面付テンプレートの管理負担を軽減すると共に、面付テンプレート作成に係る処理負担を軽減することを可能とする面付装置を提供する。【解決手段】面付装置１は、可変情報１５５を含むマーク位置情報５５を登録し、入力されたサイズ情報４０をマーク位置情報５５の可変情報１５５に反映させて、マークの配置位置を算出する。面付装置１は、刷版及び用紙及びページの各サイズを変数（パラメータ）とし、マークの配置位置を各サイズの変数を用いた計算式として保持して面付テンプレート５７を管理する。面付装置１は、各サイズの変数の値が入力されると、動的に面付テンプレート５７を作成する。【選択図】図１５
2008268575.tif 000002
【特許請求の範囲】
【請求項１】
刷版または用紙に少なくとも１つのページ及びマークを配置して面付テンプレートを作成する面付装置であって、
サイズ情報に応じて変化する可変情報を含むマーク位置情報を登録するマーク位置情報登録手段と、
前記サイズ情報を入力するサイズ情報入力手段と、
前記入力されたサイズ情報を前記マーク位置情報が含む可変情報に反映させて前記マークの位置を算出するマーク位置算出手段と、
前記算出されたマークの位置に基づいて前記面付テンプレートを作成する面付テンプレート作成手段と、
を具備することを特徴とする面付装置。
【請求項２】
前記マーク位置情報は、補正量に関する補正情報を含み、
前記マーク位置算出手段は、入力された補正量を前記マーク位置情報が含む補正情報に反映させて前記マークの位置を算出することを特徴とする請求項１に記載の面付装置。
【請求項３】
前記可変情報は、刷版サイズまたは用紙サイズまたはページサイズまたは塗り足し量の少なくともいずれかに関する変数を含むことを特徴とする請求項１または請求項２に記載の面付装置。
【請求項４】
前記補正情報は、刷版サイズまたは用紙サイズまたはページサイズまたは塗り足し量の少なくともいずれかに関する変数を含むことを特徴とする請求項１から請求項３までのいずれかに記載の面付装置。
【請求項５】
前記作成された面付テンプレートを前記可変情報及び前記補正情報を用いた計算結果と共に表示する面付テンプレート表示手段を具備することを特徴とする請求項１から請求項４までのいずれかに記載の面付装置。
【請求項６】
刷版または用紙に少なくとも１つのページ及びマークを配置して面付テンプレートを作成する面付方法であって、
サイズ情報に応じて変化する可変情報を含むマーク位置情報を登録するマーク位置情報登録ステップと、
前記サイズ情報を入力するサイズ情報入力ステップと、
前記入力されたサイズ情報を前記マーク位置情報が含む可変情報に反映させて前記マークの位置を算出するマーク位置算出ステップと、
前記算出されたマークの位置に基づいて前記面付テンプレートを作成する面付テンプレート作成ステップと、
を具備することを特徴とする面付方法。
【請求項７】
コンピュータを、請求項１から請求項５までのいずれかに記載の面付装置として機能させるプログラム。
【請求項８】
コンピュータを、請求項１から請求項５までのいずれかに記載の面付装置として機能させるプログラムを記録したコンピュータ読み取り可能な記録媒体。
【発明の詳細な説明】
【技術分野】
【０００１】
本発明は、オフセット印刷の製版工程や刷版工程における面付処理を行う面付装置に関する。詳細には、刷版や用紙にページを配置したイメージデータである面付テンプレートを作成する面付装置に関する。
【背景技術】
【０００２】
一般に、面付装置には、サイズ情報毎あるいは面付仕様毎に予め多数の面付テンプレートが登録される。面付装置は、操作者が設定したサイズ情報や面付仕様に基づいて、適切な面付テンプレートを読み出して面付処理を行う。サイズ情報は、刷版サイズや用紙サイズやページサイズである。面付仕様は、印刷機や綴じ方や開きやページ数や色数である。
また、予定データとページデータと仕様データに基づいて面付処理を行って刷版イメージデータを作成する自動面付装置が提案されている（例えば、［特許文献１］参照。）。
また、刷版上に配置する面付部品や配置基準を階層的に登録することにより、ページ配置位置やマーク配置位置の算出に係る労力的負担を軽減する面付システムが提案されている（例えば、［特許文献２］参照。）。
【０００３】
【特許文献１】特開２０００−３２６４７３号公報
【特許文献２】特開２００５−１２５６号公報
【発明の開示】
【発明が解決しようとする課題】
【０００４】
しかしながら、面付仕様の種類はある程度限定されているので、これらの面付仕様の種類毎に面付テンプレートを作成して登録することができるが、サイズ情報は連続的であるので、これらのサイズ情報について網羅的に面付テンプレートを作成して登録することが困難であるという問題点がある。
例えば、利用頻度が大きい用紙サイズについては、事前に面付テンプレートが登録されているので当該面付テンプレートを読み出して面付処理を行えばよい。一方、利用頻度が小さいあるいは利用されたことのない用紙サイズについては、事前に面付テンプレートが登録されていないので、新たな用紙サイズについてページ配置やマーク配置を設定して、改めて面付テンプレートを作成する必要がある。
また、利用頻度が小さいあるいは利用されたことのないサイズ情報について網羅的に面付テンプレートを登録する場合には、膨大な数の面付テンプレートを登録する必要があり、面付テンプレートの管理が煩雑になるという問題点がある。さらに、これらの面付テンプレートを作成するためには、各面付テンプレート毎にページ配置やマーク配置を設定する必要があるので労力的負担が増大するという問題点がある。
【０００５】
本発明は、以上の問題点に鑑みてなされたものであり、面付テンプレートの管理負担を軽減すると共に、面付テンプレート作成に係る処理負担を軽減することを可能とする面付装置を提供することを目的とする。
【課題を解決するための手段】
【０００６】
前述した目的を達成するために第１の発明は、刷版または用紙に少なくとも１つのページ及びマークを配置して面付テンプレートを作成する面付装置であって、サイズ情報に応じて変化する可変情報を含むマーク位置情報を登録するマーク位置情報登録手段と、前記サイズ情報を入力するサイズ情報入力手段と、前記入力されたサイズ情報を前記マーク位置情報が含む可変情報に反映させて前記マークの位置を算出するマーク位置算出手段と、前記算出されたマークの位置に基づいて前記面付テンプレートを作成する面付テンプレート作成手段と、を具備することを特徴とする面付装置である。
【０００７】
第１の発明の面付装置は、サイズ情報に応じて変化する可変情報を含むマーク位置情報を登録し、サイズ情報が入力されると、入力されたサイズ情報をマーク位置情報に設定された可変情報に反映させてマークの位置を算出し、算出されたマークの位置に基づいて面付テンプレートを作成する。面付装置は、作成された面付テンプレートを可変情報を用いた計算結果と共に表示する。
【０００８】
マークは、印刷工程や製本工程において位置確認や色確認をするために面付テンプレートに付されるアクセサリである。マークは、例えば、色玉、断裁トンボ、十字トンボ、折り見当マークである。
可変情報は、例えば、刷版サイズ、用紙サイズ、ページサイズ、塗り足し量に関する変数（パラメータ）を用いて記述された計算式である。
【０００９】
また、面付装置は、マーク位置情報に補正情報を設定し、補正量が入力されると、入力された補正量をマーク位置情報に設定された補正情報に反映させてマークの位置を算出するようにしてもよい。補正情報も可変情報と同様に、刷版サイズ、用紙サイズ、ページサイズ、塗り足し量に関する変数（パラメータ）を用いて記述してもよい。
【００１０】
第１の発明では、面付装置は、刷版及び用紙及びページ等のサイズ情報が可変である場合であっても、サイズ情報が変化した場合におけるマークの配置位置の変化を保持することにより、各サイズ情報毎に面付テンプレートを管理する必要がなく、１つの面付テンプレートを管理すればよい。従って、面付テンプレートの管理負担を軽減することができる。また、サイズ情報が変化した場合であっても、改めて面付テンプレートを作成する必要がないので、面付テンプレートの作成処理に係る負担を軽減することができる。
【００１１】
第２の発明は、刷版または用紙に少なくとも１つのページ及びマークを配置して面付テンプレートを作成する面付方法であって、サイズ情報に応じて変化する可変情報を含むマーク位置情報を登録するマーク位置情報登録ステップと、前記サイズ情報を入力するサイズ情報入力ステップと、前記入力されたサイズ情報を前記マーク位置情報が含む可変情報に反映させて前記マークの位置を算出するマーク位置算出ステップと、前記算出されたマークの位置に基づいて前記面付テンプレートを作成する面付テンプレート作成ステップと、を具備することを特徴とする面付方法である。
【００１２】
第２の発明は、刷版または用紙に少なくとも１つのページ及びマークを配置して面付テンプレートを作成する面付方法に関する発明である。
【００１３】
第３の発明は、第１の発明の面付装置として機能させるプログラムである。
第４の発明は、第１の発明の面付装置として機能させるプログラムを記録したコンピュータ読み取り可能な記録媒体である。
尚、上記のプログラムをＣＤ−ＲＯＭ等の記録媒体に保持させて流通させてもよいし、このプログラムを通信回線を介して送受することもできる。
【発明の効果】
【００１４】
本発明によれば、面付テンプレートの管理負担を軽減すると共に、面付テンプレート作成に係る処理負担を軽減することを可能とする面付装置を提供することができる。
【発明を実施するための最良の形態】
【００１５】
以下、添付図面を参照しながら、本発明の実施の形態に係る面付装置の好適な実施形態について詳細に説明する。なお、以下の説明及び添付図面において、略同一の機能構成を有する構成要素については、同一の符号を付することにより重複説明を省略することにする。
【００１６】
（１．面付装置１の構成）
最初に、図１を参照しながら、面付装置１の構成について説明する。
図１は、面付装置１の機能ブロック図である。
【００１７】
面付装置１は、登録手段３及び入力手段５及び記憶部７、可変情報演算手段３１、面付テンプレート作成手段３３、面付テンプレート表示手段３５、面付テンプレート出力手段３７から構成される。記憶部７は、ハードディスクやメモリ等の記憶手段であり、一時的あるいは恒久的に情報を保持する。尚、図１の面付装置１の構成は一例であり、様々な構成を採ることが可能である。
【００１８】
登録手段３は、面付情報登録手段９、版振り情報登録手段１１、ページ位置情報登録手段１３、マーク位置情報登録手段１５、マーク情報登録手段１７、仮想マーク情報登録手段１９、可変情報設定手段２１を有する。
面付情報登録手段９は、記憶部７に面付情報３９を登録する。版振り情報登録手段１１は、記憶部７に版振り情報４７を登録する。ページ位置情報登録手段１３は、記憶部７にページ位置情報４９を登録する。マーク位置情報登録手段１５は、記憶部７にマーク位置情報５５を登録する。マーク情報登録手段１７は、記憶部７にマーク情報５１を登録する。仮想マーク情報登録手段１９は、記憶部７に仮想マーク情報５３を登録する。可変情報設定手段２１は、サイズ情報４０に応じた可変情報をページ位置情報４９及びマーク位置情報５５に組み込んで登録する。
【００１９】
入力手段５は、面付仕様入力手段２３、刷版情報入力手段２５、用紙情報入力手段２７、ページ情報入力手段２９を有する。
面付仕様入力手段２３は、操作者が入力した面付仕様やサイズ情報４０を受け付ける。刷版情報入力手段２５は、操作者が入力したサイズ情報４０を記憶部７に保持する。サイズ情報４０は、刷版サイズを含む刷版情報４１や用紙サイズを含む用紙情報４３やページサイズを含むページ情報４５である。
【００２０】
可変情報演算手段３１は、サイズ情報４０に基づいてページ位置情報４９あるいはマーク位置情報５５に組み込まれた可変情報の演算を行う。
面付テンプレート作成手段３３は、面付情報３９及び入力された面付仕様及びサイズ情報４０に基づいて、ページ配置位置やマーク配置位置を計算して面付テンプレート５７を作成する。
面付テンプレート表示手段３５は、作成した面付テンプレート５７を表示装置に表示する。
面付テンプレート出力手段３７は、作成した面付テンプレート５７を印刷装置から出力する。
【００２１】
（２．ハードウェア構成）
次に、図２を参照しながら、面付装置１のハードウェア構成について説明する。
図２は、面付装置１のハードウェア構成図である。
尚、図２のハードウェア構成は一例であり、用途、目的に応じて様々な構成を採ることが可能である。
【００２２】
面付装置１は、ＣＰＵ６１、メモリ６２、記憶部６３、表示部６４、入力部６５、出力部６６、通信部６７等がシステムバス６８を介して接続されて構成される。
【００２３】
ＣＰＵ６１（Ｃｅｎｔｒａｌ  Ｐｒｏｃｅｓｓｉｎｇ  Ｕｎｉｔ）は、ハードディスク、ＲＯＭ、記録媒体等に格納される実行プログラム、ＯＳ（オペレーションシステム）のプログラム、アプリケーションプログラム等をメモリ６２のＲＡＭ上のワークメモリ領域に呼び出して実行し、演算処理（四則演算や比較演算等）、ハードウェアやソフトウェアの動作制御等を行い、後述する各種機能を実現する。
【００２４】
メモリ６２は、ＲＡＭ及びＲＯＭ等のメモリである。ＲＡＭ（Ｒａｎｄｏｍ  Ａｃｃｅｓｓ  Ｍｅｍｏｒｙ）は、ＲＯＭ（Ｒｅａｄ  Ｏｎｌｙ  Ｍｅｍｏｒｙ）や記憶部６３から読み出されたＯＳ（Ｏｐｅｒａｔｉｏｎ  Ｓｙｓｔｅｍ）のプログラム、アプリケーションプログラム等を記憶する。ＲＡＭは、ＣＰＵ６１の主メモリ、ワークエリア等として機能する。
【００２５】
記憶部６３は、各種データを記憶する装置であり、例えば、ハードディスクである。記憶部６３は、ＣＰＵ６１が実行するプログラム、プログラム実行に必要なデータ、ＯＳ、各種データベース等が格納される。
【００２６】
表示部６４は、ＣＲＴモニタ、液晶パネル等のディスプレイ装置、ディスプレイ装置と連携してコンピュータのビデオ機能を実現するための論理回路等（ビデオアダプタ等）を有する。
【００２７】
入力部６５は、各種データの入力装置であり、例えば、キーボード、マウスである。出力部６６は、各種データの出力装置であり、例えば、プリンタである。各種メディアとのデータ入出力を行うドライブ装置を入力部６５及び出力部６６として用いることもできる。
【００２８】
通信部６７は、ネットワーク１１を介して外部装置と接続・通信する通信制御装置である。例えば、ＴＣＰ／ＩＰを用いたインターネット通信が可能である。
【００２９】
システムバス６８は、面付装置１内の各装置間の制御信号、データ信号等の授受を媒介する経路であり、例えば、ＰＣＩ（Ｐｅｒｉｐｈｅｒａｌ  Ｃｏｍｐｏｎｅｎｔ  Ｉｎｔｅｒｃｏｎｎｅｃｔ）バス、ＡＧＰ（Ａｃｃｅｌｅｒａｔｅｄ  Ｇｒａｐｈｉｃｓ  Ｐｏｒｔ）バス、メモリバスである。
【００３０】
面付装置１は、記憶部６３に格納するプログラム（実行プログラム、ＯＳのプログラム等）をメモリ６２上にロードしてＣＰＵ６１の制御の下に、以下に示す各種処理を実行する。
【００３１】
（３．面付テンプレート５７）
次に、図３を参照しながら、面付テンプレート５７について説明する。
図３は、面付テンプレート５７の一態様を示す図である。
【００３２】
面付テンプレート５７は、刷版７１や用紙７３に対してページ７５や版面７７やマーク７９を配置したイメージデータである。尚、版面７７は、複数のページ７５を包含する矩形領域である。版面７７の一部は、ページ７５の外周と一致する。
【００３３】
（４．記憶部７に登録及び保持される情報）
次に、図４〜図１２を参照しながら、記憶部７に登録及び保持される情報について説明する。
【００３４】
（４−１．面付情報３９）
図４は、面付情報３９の一態様を示す図である。
面付情報３９は、面付テンプレート５７の作成時の面付仕様８１と面付設定８３とを対応付ける情報である。
【００３５】
面付仕様８１は、印刷機ＩＤ８５、綴じ方８７、開き８９、ページ数９１、色数９３の各項目を有する。
印刷機ＩＤ８５は、印刷機の識別情報を示す。印刷機ＩＤ８５は、例えば、「１号機（Ｓ０００１）」である。綴じ方８７は、印刷物の綴じ方の種類を示す。綴じ方８７は、例えば、「中綴じ」「無線綴じ」である。開き８９は、印刷物を開く向きを示す。開き８９は、例えば、「右開き」「左開き」である。ページ数９１は、刷版７１あるいは用紙７３に配置されるページ７５の数を示す。ページ数９１は、例えば、「４Ｐ」「１６Ｐ」「３２Ｐ」である。色数９３は、印刷に用いられる色版の数を示す。色数９３は、例えば、「４色」「５色」である。
【００３６】
面付設定８３は、版振りＩＤ９５、ページ位置ＩＤ９７、マーク位置ＩＤ９９の各項目を有する。版振りＩＤ９５は、版振り情報４７の識別情報であり、面付情報３９と版振り情報４７とを対応付ける。版振りＩＤ９５は、例えば、「Ｈ０００１」である。ページ位置ＩＤ９７は、ページ位置情報４９の識別情報であり、面付情報３９とページ位置情報４９とを対応付ける。ページ位置ＩＤ９７は、例えば、「ＰＰ０００１」である。マーク位置ＩＤ９９は、マーク位置情報５５の識別情報であり、面付情報３９とマーク位置情報５５とを対応付ける。マーク位置ＩＤ９９は、例えば、「ＭＰ０００１」である。
【００３７】
（４−２．刷版情報４１）
図５は、刷版情報４１の一態様を示す図である。
刷版情報４１は、刷版７１のサイズに関する情報である。刷版情報４１は、面付テンプレート５７の作成時に、印刷機の種類等に応じて入力される。刷版情報４１は、刷版サイズ（Ｘ）１０１及び刷版サイズ（Ｙ）１０３の各項目を有する。刷版サイズ（Ｘ）１０１は、刷版７１のＸ方向のサイズであり、例えば、「６００ｍｍ」である。刷版サイズ（Ｙ）１０３は、刷版７１のＹ方向のサイズであり、例えば、「５００ｍｍ」である。
【００３８】
（４−３．用紙情報４３）
図６は、用紙情報４３の一態様を示す図である。
用紙情報４３は、用紙７３のサイズに関する情報である。用紙情報４３は、面付テンプレート５７の作成時に、ページ７５を配置する用紙７３のサイズ等に応じて入力される。用紙情報４３は、用紙サイズ（Ｘ）１０５、用紙サイズ（Ｙ）１０７、位置合わせ基準点１０９、オフセット量１１１の各項目を有する。
用紙サイズ（Ｘ）１０５は、用紙７３のＸ方向のサイズであり、例えば、「５４０ｍｍ」である。用紙サイズ（Ｙ）１０７は、用紙７３のＹ方向のサイズであり、例えば、「３５７ｍｍ」である。位置合わせ基準点１０９は、用紙７３の位置決めに関する基準点を示し、例えば、「刷版下中央及び用紙下中央」である。オフセット量１１１は、位置合わせ基準点１０９に示される基準点間の隔たりを示し、例えば、「Ｘ方向＝０ｍｍ、Ｙ方向１０ｍｍ」である。
【００３９】
（４−４．ページ情報４５）
図７は、ページ情報４５の一態様を示す図である。
ページ情報４５は、面付テンプレート５７の作成時に、ページ７５のサイズに応じて入力される。ページ情報４５は、ページサイズ（Ｘ）１１３及びページサイズ（Ｙ）１１５の各項目を有する。ページサイズ（Ｘ）１１３は、ページ７５のＸ方向のサイズであり、例えば、「２１０ｍｍ」である。ページサイズ（Ｙ）１１５は、ページ７５のＹ方向のサイズであり、例えば、「２９７ｍｍ」である。
【００４０】
（４−５．版振り情報４７）
図８は、版振り情報４７の一態様を示す図である。
版振り情報４７は、刷版７１あるいは用紙７３に配置されるページ７５の並びや向きを示す。版振り情報４７は、予め、記憶部７に登録される。版振り情報４７は、版振りＩＤ９５、位置１１７、面１１９、方向１２１、ページ番号１２３の各項目を有する。
版振りＩＤ９５は、版振り情報４７の識別情報である。版振りＩＤ９５は、例えば、「Ｈ０００１」である。版振り情報４７では、１枚の刷版７１あるいは１枚の用紙７３に配置されるページ７５の情報については、同一の版振りＩＤ９５が付与される。位置１１７は、ページ７５の配置位置を示す。例えば、「（１，１）」は、下から１行目及び左から１列目の位置を示す。面１１９は、表裏を示す。方向１２１は、上下方向（天地）を示す。ページ番号１２３は、ページ７５のページ番号を示す。
【００４１】
（４−６．ページ位置情報４９）
図９は、ページ位置情報４９の一態様を示す図である。
ページ位置情報４９は、刷版７１あるいは用紙７３に配置されるページ７５の位置に関する登録情報である。ページ位置情報４９は、予め、記憶部７に登録される。ページ位置情報４９は、ページ位置ＩＤ９７、間隔番号１２５、間隔長１２７の各項目を有する。
ページ位置ＩＤ９７は、ページ位置情報４９の識別情報である。ページ位置ＩＤ９７は、例えば、「ＰＰ０００１」である。１枚の刷版７１あるいは１枚の用紙７３に配置されるページ７５の位置情報については、同一のページ位置ＩＤ９７が付与される。間隔番号１２５は、用紙７３とページ７５との間隔あるいはページ７５同士の間隔を識別するための番号である。間隔長１２７は、間隔番号１２５に対応する間隔の長さを示す。
【００４２】
間隔長１２７には、固定値だけでなく可変情報１５３や補正情報１５４が設定される。可変情報１５３は、用紙サイズ等の可変パラメータを含む数式（マクロ）である。可変情報１５３に記述可能な可変パラメータは、例えば、刷版サイズ、用紙サイズ、ページサイズ、塗り足し量である。補正情報１５４は、刷版情報４１及び用紙情報４３及びページ情報４５と共に入力可能な補正量である。補正情報１５４自体を可変情報１５３に記述可能な可変パラメータとして用いてもよい。
【００４３】
（４−７．マーク情報５１）
図１０は、マーク情報５１の一態様を示す図である。
マーク情報５１は、刷版７１あるいは用紙７３に配置されるマーク７９の形態（形状や色彩）に関する情報である。マーク情報５１は、予め、記憶部７に登録される。マーク情報５１は、マークＩＤ１２９、マーク名称１３１、形式１３３、参照先・データ１３５の各項目を有する。
マークＩＤ１２９は、マーク情報５１の識別情報である。マークＩＤ１２９は、例えば、「Ｍ０００１」である。マーク名称１３１は、マーク７９の名称である。マーク名称１３１は、例えば、「色玉」「断裁トンボ」「十字トンボ」「矩形」「見当マーク」である。形式１３３は、マーク情報５１の形式を示す。形式１３３は、例えば、「ＰＤＦ形式」「仮想マーク形式」である。参照先・データ１３５は、マーク７９を示すデータファイル名や参照先を示す。参照先・データ１３５は、例えば、データファイル名「Ｍ０００１．ＰＤＦ」、仮想マーク情報５３を参照するための仮想マークＩＤ「ＫＭ０００１」である。尚、仮想マーク情報５３については後述する。
【００４４】
（４−８．仮想マーク情報５３）
図１１は、仮想マーク情報５３を示す図である。
仮想マーク情報５３は、呼出条件に応じてマーク７９を変化させる場合に参照される情報である。仮想マーク情報５３は、予め、記憶部７に登録される。仮想マーク情報５３は、仮想マークＩＤ１３７、呼出条件１３９、マークＩＤ１２９、オフセット量１４１の各項目を有する。
【００４５】
仮想マークＩＤ１３７は、仮想マーク情報５３の識別情報である。仮想マークＩＤ１３７は、例えば、「ＫＭ０００１」である。１枚の刷版７１あるいは１枚の用紙７３に配置されるマーク７９に対応する仮想マーク情報５３については、同一の仮想マークＩＤ１３７が付与される。
呼出条件１３９は、マーク７９を変化させるためのパラメータに関する情報である。呼出条件１３９は、例えば、「色数が４の場合に呼び出す。（「色数＝４」）」である。呼出条件１３９に合致する仮想マーク情報５３が呼び出され、当該仮想マーク情報５３が示すマーク７９が刷版７１あるいは用紙７３に配置される。
マークＩＤ１２９は、マーク情報５１のマークＩＤ１２９と同様のものである。マークＩＤ１２９を介して仮想マーク情報５３とマーク情報５１とがリレーションされる。
オフセット量１４１は、マーク位置情報５５によって指定される配置位置に対する隔たりを示す。オフセット量１４１は、例えば、「Ｘ方向＝０ｍｍ、Ｙ方向１００ｍｍ」である。尚、マーク位置情報５５については後述する。
【００４６】
（４−９．マーク位置情報５５）
図１２は、マーク位置情報５５の一態様を示す図である。
マーク位置情報５５は、刷版７１あるいは用紙７３に配置されるマーク７９の位置に関する登録情報である。マーク位置情報５５は、予め、記憶部７に登録される。マーク位置情報５５は、マーク位置ＩＤ９９、マークＩＤ１２９、マーク名称１３１、重順１４３、基準点１４５、面１４７、オフセット量（Ｘ）１４９、オフセット量（Ｙ）１５１の各項目を有する。
【００４７】
マーク位置ＩＤ９９は、マーク位置情報５５の識別情報である。マーク位置ＩＤ９９は、例えば、「ＭＰ０００１」である。マークＩＤ１２９は、マーク情報５１のマークＩＤ１２９と同様のものである。マークＩＤ１２９を介してマーク位置情報５５とマーク情報５１とがリレーションされる。マーク名称１３１は、マーク情報５１のマーク名称１３１と同様のものである。重順１４３は、同一の面付テンプレート５７において複数のマーク７９が重なる場合における重なり順を示す。重順１４３に関しては、例えば、数値が小さいほど上側に重ね、数値が大きいほど下側に重ねるようにしてもよい。
【００４８】
基準点１４５は、マーク７９を配置する際の基準位置を示す。基準点１４５は、例えば、「用紙７３の左下隅（「用紙・左下」）」、「版面７７の中央（「版面・中央」）」である。面１４７は、マーク７９の配置面を示す。面１４７は、例えば、「表面と裏面の両側（「表裏」）」である。
【００４９】
オフセット量（Ｘ）１４９及びオフセット量（Ｙ）１５１は、それぞれ、基準点１４５からの隔たりを示す。オフセット量（Ｘ）１４９及びオフセット量（Ｙ）１５１には、固定値だけでなく可変情報１５５や補正情報１５６が設定される。可変情報１５５は、用紙サイズ等の可変パラメータを含む数式（マクロ）である。可変情報１５５に記述可能な可変パラメータは、例えば、刷版サイズ、用紙サイズ、ページサイズ、塗り足し量である。補正情報１５６は、刷版情報４１及び用紙情報４３及びページ情報４５と共に入力可能な補正量である。補正情報１５６自体を可変情報１５５に記述可能な可変パラメータとして用いてもよい。
【００５０】
（５．面付装置１の動作）
次に、図１３〜図１５を参照しながら、面付装置１の動作について説明する。
図１３は、記憶部７への登録処理を示すフローチャートである。
図１４は、面付テンプレート５７の作成処理を示すフローチャートである。
図１５は、面付テンプレート５７の作成処理を示す模式図である。
【００５１】
面付装置１は、操作者の操作指示に基づいて、面付情報３９、版振り情報４７、ページ位置情報４９、マーク情報５１、仮想マーク情報５３、マーク位置情報５５を記憶部７へ登録する（ステップ１００１〜ステップ１００６）。尚、記憶部７としては、図２の記憶部６３やメモリ６２を用いることができる。
【００５２】
操作者の操作指示に基づいて、面付装置１に面付仕様８１及びサイズ情報４０及び補正量４６が入力される（ステップ２００１及びステップ２００２）。尚、サイズ情報４０は、刷版情報４１、用紙情報４３、ページ情報４５である。
面付装置１は、記憶部７の面付情報３９を参照し、面付仕様８１に対応する面付設定８３を取得する（ステップ２００３）。
面付装置１は、面付設定８３が示す版振り情報４７及びページ位置情報４９及びマーク位置情報５５を記憶部７から読み出す（ステップ２００４）。
【００５３】
面付装置１は、読み出したページ位置情報４９に含まれる可変情報１５３及び補正情報１５４にサイズ情報４０及び補正量４６の内容を反映させる（ステップ２００５）。
面付装置１は、ページ位置情報４９に基づいてページ７５の配置位置を算出する（ステップ２００６）。
面付装置１は、読み出したマーク位置情報５５に含まれる可変情報１５５及び補正情報１５６にサイズ情報４０及び補正量４６の内容を反映させる（ステップ２００７）。
面付装置１は、マーク位置情報５５に基づいてマーク７９の配置位置を算出する（ステップ２００８）。
面付装置１は、刷版７１あるいは用紙７３にページ７５及びマーク７９を配置して面付テンプレート５７を作成し、表示部６４に表示する（ステップ２００９）。
【００５４】
（６．画面表示）
次に、図１６〜図１９を参照しながら、面付装置１における画面表示について説明する。
【００５５】
（６−１．マーク位置情報５５の登録）
図１６は、マーク位置情報５５の登録画面２０５の一態様を示す図である。
登録画面２０５には、マークの種類を示すマークＩＤ１２９、重順１４３、基準点１４５、面１４７、オフセット量（Ｘ）１４９、オフセット量（Ｙ）１５１の入力欄が表示される。操作者は、登録画面２０５において、マークの種類を示すマークＩＤ１２９、重順１４３、基準点１４５、面１４７、オフセット量（Ｘ）１４９、オフセット量（Ｙ）１５１を入力する。オフセット量（Ｘ）１４９、オフセット量（Ｙ）１５１には、固定値だけでなく可変情報１５５や補正情報１５６を入力することができる。「登録」ボタン２０７が押下されると、面付装置１は、入力内容に基づいてマーク位置情報５５を記憶部７に登録する（図１３のステップ１００６）。
【００５６】
（６−２．面付仕様８１の入力）
図１７は、面付仕様８１の入力画面２０９の一態様を示す図である。
入力画面２０９には、面付仕様８１の入力欄が表示される。操作者は、入力画面２０９において面付仕様８１として、印刷機ＩＤ８５、綴じ方８７、開き８９、ページ数９１、色数９３を入力する。「次へ」ボタン２１１が押下されると、面付装置１は、入力内容をメモリ６２に保持して次の処理へ進む（図１４のステップ２００１）。
【００５７】
（６−３．サイズ情報４０及び補正量４６の入力）
図１８は、サイズ情報４０及び補正量４６の入力画面２１３の一態様を示す図である。
入力画面２１３には、サイズ情報４０及び補正量４６の入力欄が表示される。操作者は、入力画面２１３において、サイズ情報４０として刷版情報４１及び用紙情報４３及びページ情報４５を入力し、補正量４６を入力する（図１４のステップ２００２）。
【００５８】
詳細には、刷版情報４１として刷版サイズ（Ｘ）１０１及び刷版サイズ（Ｙ）１０３が入力される。用紙情報４３として用紙サイズ（Ｘ）１０５及び用紙サイズ（Ｙ）１０７、位置合わせ基準点１０９、オフセット量１１１が入力される。ページ情報４５としてページサイズ（Ｘ）１１３及びページサイズ（Ｙ）１１５が入力される。
「面付テンプレート作成」ボタン２１５が押下されると、面付装置１は、面付テンプレート５７の作成処理に進む。
【００５９】
（６−４．面付テンプレート５７の表示）
図１９は、面付テンプレート５７の表示画面２１７の一態様を示す図である。
面付装置１は、マーク位置情報５５の可変情報１５５及び補正情報１５６に、入力画面２１３において入力されたサイズ情報４０及び補正量４６を反映させ、マーク７９の配置位置を算出する（図１４のステップ２００７及びステップ２００８）。面付装置１は、表示画面２１７に、面付テンプレート５７の計算結果を表示する（図１４のステップ２００９）。
【００６０】
基準点２３２は、マーク２３１（断裁トンボ（右上））の配置基準位置であり、版面７７の左上隅である。距離２３３は、基準点２３２に対するマーク２３１のＸ方向距離である。
基準点２３５は、マーク２３４（断裁トンボ（左上））の配置基準位置であり、版面７７の右上隅である。距離２３６は、基準点２３５に対するマーク２３４のＸ方向距離である。
基準点２３８は、マーク２３７（色玉）の配置基準位置であり、刷版７１の上中央である。距離２３９は、基準点２３８に対するマーク２３７のＹ方向距離である。
刷版サイズ（Ｙ）＝５００［ｍｍ］、用紙サイズ（Ｙ）＝３５７［ｍｍ］、ページサイズ（Ｘ）＝２１０［ｍｍ］補正量（５）＝０［ｍｍ］、が入力された場合、面付装置１は、以下の演算処理を行って距離２３３及び距離２３６及び距離２３９を算出する。
【００６１】
距離２３３＝ページサイズ（Ｘ）＋補正量（５）＝２１０＋０＝２１０［ｍｍ］。
距離２３６＝−（ページサイズ（Ｘ））＝−２１０＝−２１０［ｍｍ］。
距離２３９＝−（刷版サイズ（Ｙ）−用紙サイズ（Ｙ））／４＝−（５００−３５７）／４≒３５．７［ｍｍ］
【００６２】
尚、表示画面２１７において、用紙２２５及び表裏２２７を変更することにより、面付テンプレート５７の他の版面７７を表示させることができる。
また、「再設定」ボタン２２９が押下されると、面付仕様８１の入力画面２０９やサイズ情報４０の入力画面２１３に戻って再設定することにより、改めて面付テンプレート５７の作成処理及び表示処理を行うことができる。
【００６３】
（７．効果等）
以上の過程を経て、面付装置１は、可変情報１５５及び補正情報１５６を含むマーク位置情報５５を登録し、入力されたサイズ情報４０及び補正量４６をマーク位置情報５５の可変情報１５５及び補正情報１５６に反映させて、マーク７９の配置位置を算出する。
面付装置１は、刷版７１及び用紙７３及びページ７５の各サイズを変数（パラメータ）とし、マーク７９の配置位置を各サイズの変数を用いた計算式として保持して面付テンプレート５７を管理する。面付装置１は、各サイズの変数の値が入力されると、動的に面付テンプレート５７を作成する。
【００６４】
このように、面付装置１は、刷版及び用紙及びページ等のサイズ情報が可変である場合であっても、サイズ情報が変化した場合におけるマークの配置位置の変化を保持することにより、各サイズ情報毎に面付テンプレートを管理する必要がなく、１つの面付テンプレートを管理すればよい。従って、面付テンプレートの管理負担を軽減することができる。また、サイズ情報が変化した場合であっても、改めて面付テンプレートを作成する必要がないので、面付テンプレートの作成処理に係る負担を軽減することができる。
【００６５】
尚、補正情報に関しては、面付仕様によって必要となる可変情報や、印刷機トラブルへの対応や特殊な面付を行うために運用上任意に入力したい項目に関する補正量を設定可能とすることが望ましい。面付仕様によって必要となる可変情報は、例えば、背幅、ミーリング幅である。運用上任意に入力したい項目に関する補正量は、例えば、のど空き、ページ全体の移動量である。ページ全体の移動量を設定可能とすることにより、印刷機トラブル等の特殊事情に応じて左右上下方向に面付けをオフセットすることができる。
【００６６】
以上、添付図面を参照しながら、本発明に係る面付装置の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００６７】
【図１】面付装置１の機能ブロック図
【図２】面付装置１のハードウェア構成図
【図３】面付テンプレート５７の一態様を示す図
【図４】面付情報３９の一態様を示す図
【図５】刷版情報４１の一態様を示す図
【図６】用紙情報４３の一態様を示す図
【図７】ページ情報４５の一態様を示す図
【図８】版振り情報４７の一態様を示す図
【図９】ページ位置情報４９の一態様を示す図
【図１０】マーク情報５１の一態様を示す図
【図１１】仮想マーク情報５３を示す図
【図１２】マーク位置情報５５の一態様を示す図
【図１３】記憶部７への登録処理を示すフローチャート
【図１４】面付テンプレート５７の作成処理を示すフローチャート
【図１５】面付テンプレート５７の作成処理を示す模式図
【図１６】マーク位置情報５５の登録画面２０５の一態様を示す図
【図１７】面付仕様８１の入力画面２０９の一態様を示す図
【図１８】サイズ情報４０及び補正量４６の入力画面２１３の一態様を示す図
【図１９】面付テンプレート５７の表示画面２１７の一態様を示す図
【符号の説明】
【００６８】
１………面付装置
３………登録手段
５………入力手段
７………記憶部
９………面付情報登録手段
１１………版振り情報登録手段
１３………ページ位置情報登録手段
１５………マーク位置情報登録手段
１７………マーク情報登録手段
１９………仮想マーク情報登録手段
２１………可変情報設定手段
２３………面付仕様入力手段
２５………刷版情報入力手段
２７………用紙情報入力手段
２９………ページ情報入力手段
３１………可変情報演算手段
３３………面付テンプレート作成手段
３５………面付テンプレート表示手段
３７………面付テンプレート出力手段
３９………面付情報
４０………サイズ情報
４１………刷版情報
４３………用紙情報
４５………ページ情報
４６………補正量
４７………版振り情報
４９………ページ位置情報
５１………マーク情報
５３………仮想マーク情報
５５………マーク位置情報
５７………面付テンプレート
６１………ＣＰＵ
６２………メモリ
６３………記憶部
６４………表示部
６５………入力部
６６………出力部
６７………通信部
６８………システムバス
７１………刷版
７３………用紙
７５………ページ
７７………版面
７９………マーク
８１………面付仕様
８３………面付設定
１５３、１５５………可変情報
１５４、１５６………補正情報
２０５………登録画面（マーク位置情報５５）
２０９………入力画面（面付仕様８１）
２１３………入力画面（サイズ情報４０及び補正量４６）
２１７………表示画面（面付テンプレート５７）
【図１】
2008268575.tif 000003
【図２】
2008268575.tif 000004
【図３】
2008268575.tif 000005
【図４】
2008268575.tif 000006
【図５】
2008268575.tif 000007
【図６】
2008268575.tif 000008
【図７】
2008268575.tif 000009
【図８】
2008268575.tif 000010
【図９】
2008268575.tif 000011
【図１０】
2008268575.tif 000012
【図１１】
2008268575.tif 000013
【図１２】
2008268575.tif 000014
【図１３】
2008268575.tif 000015
【図１４】
2008268575.tif 000016
【図１５】
2008268575.tif 000017
【図１６】
2008268575.tif 000018
【図１７】
2008268575.tif 000019
【図１８】
2008268575.tif 000020
【図１９】
2008268575.tif 000021